(57)【要約】【課題】複数のバッテリを電子機器に接続せずに、どのバッテリのバッテリ残量が最も大きいかを特定すること。【解決手段】本発明の電子機器は、複数のバッテリを識別する識別情報と、現在のバッテリの充電量を直接的又は間接的に示す物理量を表す充電情報とを含むバッテリ情報を複数のバッテリから無線通信により取得する通信部と、自機器に電力を供給する機器バッテリと、前記機器バッテリのバッテリ情報を保持するメモリと、前記機器バッテリの充電情報、及び前記複数のバッテリの充電情報を比較する比較部と、前記比較部の比較結果に基づき、前記機器バッテリ及び前記複数のバッテリのいずれかを特定する情報を表示する表示部と、を備える。【選択図】図１
2013038961.tif 000002
【特許請求の範囲】
【請求項１】
複数のバッテリを識別する識別情報と、現在のバッテリの充電量を直接的又は間接的に示す物理量を表す充電情報とを含むバッテリ情報を複数のバッテリから無線通信により取得する通信部と、
自機器に電力を供給する機器バッテリと、
前記機器バッテリのバッテリ情報を保持するメモリと、
前記機器バッテリの充電情報、及び前記複数のバッテリの充電情報を比較する比較部と、
前記比較部の比較結果に基づき、前記機器バッテリ及び前記複数のバッテリのいずれかを特定する情報を表示する表示部と、を備える電子機器。
【請求項２】
前記識別情報には、前記複数のバッテリが前記電子機器に接続可能であるか否かを示す情報が含まれ、
前記比較部は、
前記機器バッテリの充電情報、及び前記複数のバッテリのうち前記電子機器に接続可能である一又は複数のバッテリの充電情報を比較し、
前記表示部は、
前記比較部の比較結果に基づき、前記機器バッテリ、及び前記電子機器に接続可能である一又は複数のバッテリのうち最もバッテリ残量の大きいバッテリを特定する情報を表示する、
請求項１に記載の電子機器。
【請求項３】
前記表示部は、
前記比較部の比較結果に基づき、前記電子機器に接続可能である一又は複数のバッテリのうち満充電の一又は複数のバッテリを特定する情報を表示する、
請求項２に記載の電子機器。
【請求項４】
前記通信部は、
前記複数のバッテリにバッテリ情報を取得するためのバッテリ情報取得指示を送信し、このバッテリ情報取得指示の応答として前記バッテリ情報を無線通信により取得する、
請求項１から請求項３のいずれか一項に記載の電子機器。
【請求項５】
前記通信部は、
前記複数のバッテリから定期的に送信される前記バッテリ情報を無線通信により取得する、
請求項１から請求項３のいずれか一項に記載の電子機器。
【請求項６】
電源回路部と、
自身を他のバッテリから識別するための識別情報と、現在の充電量を直接的又は間接的に示す物理量を表す充電情報とを含むバッテリ情報を無線通信により電子機器へ送信する通信部と、
現在バッテリ残量が最も大きいバッテリである場合に前記電子機器から発光指示を受けて発光する発光部と、を備えるバッテリ。
【請求項７】
前記通信部は、
前記電子機器からバッテリ情報を取得するためのバッテリ情報取得指示を受信し、このバッテリ情報取得指示の応答として前記バッテリ情報を無線通信により前記電子機器へ送信する、
請求項６に記載のバッテリ。
【請求項８】
前記通信部は、
前記バッテリ情報を無線通信により定期的に前記電子機器へ送信する、
請求項６に記載のバッテリ。
【請求項９】
複数のバッテリを識別する識別情報と、現在のバッテリの充電量を直接的又は間接的に示す物理量を表す充電情報とを含むバッテリ情報を複数のバッテリから無線通信により取得する取得ステップと、
電子機器に接続された機器バッテリの充電情報、及び前記複数のバッテリの充電情報を比較する比較ステップと、
前記比較部の比較結果に基づき、前記機器バッテリ及び前記複数のバッテリのいずれかを特定する情報を表示部に表示する表示ステップと、を有する
電子機器のバッテリ特定方法。
【請求項１０】
前記取得ステップで取得される前記識別情報には、
前記複数のバッテリが前記電子機器に接続可能であるか否かを示す情報が含まれ、
前記比較ステップでは、
前記機器バッテリ、及び前記複数のバッテリのうち前記電子機器に接続可能である一又は複数のバッテリの充電情報を比較し、
前記表示ステップでは、
前記比較部の比較結果に基づき、前記機器バッテリ、及び前記電子機器に接続可能である一又は複数のバッテリのうち最もバッテリ残量の大きいバッテリを特定する情報を表示する、
請求項９に記載のバッテリ特定方法。
【発明の詳細な説明】
【技術分野】
【０００１】
本発明は、バッテリから電力を供給する電子機器、バッテリおよびバッテリ特定方法に関する。
【背景技術】
【０００２】
特許文献１では、電池ケースと電子機器間で充電情報を比較し、少ない方の電池情報を電子機器に表示させることができる。
【先行技術文献】
【特許文献】
【０００３】
【特許文献１】特許第４０９０３７３号明細書
【発明の概要】
【発明が解決しようとする課題】
【０００４】
しかしながら、ユーザが複数の電池（バッテリ）を所有している場合、複数のバッテリのそれぞれのバッテリ残量を調べるためには、接続可能な電子機器にすべてのバッテリを接続して、これらのバッテリのバッテリ残量を比較する必要がある。
【０００５】
本発明の目的は、複数のバッテリを電子機器に接続せずに、どのバッテリのバッテリ残量が最も大きいかを容易に特定可能な電子機器、バッテリおよびバッテリ特定方法を提供することである。
【課題を解決するための手段】
【０００６】
本発明は、複数のバッテリを識別する識別情報と、現在のバッテリの充電量を直接的又は間接的に示す物理量を表す充電情報とを含むバッテリ情報を複数のバッテリから無線通信により取得する通信部と、自機器に電力を供給する機器バッテリと、前記機器バッテリのバッテリ情報を保持するメモリと、前記機器バッテリの充電情報、及び前記複数のバッテリの充電情報を比較する比較部と、前記比較部の比較結果に基づき、前記機器バッテリ及び前記複数のバッテリのいずれかを特定する情報を表示する表示部と、を備える電子機器を提供する。
【０００７】
上記電子機器では、前記識別情報には、前記複数のバッテリが前記電子機器に接続可能であるか否かを示す情報が含まれ、前記比較部は、前記機器バッテリの充電情報、及び前記複数のバッテリのうち前記電子機器に接続可能である一又は複数のバッテリの充電情報を比較し、前記表示部は、前記比較部の比較結果に基づき、前記機器バッテリ、及び前記電子機器に接続可能である一又は複数のバッテリのうち最もバッテリ残量の大きいバッテリを特定する情報を表示する。
【０００８】
上記電子機器では、前記表示部は、前記比較部の比較結果に基づき、前記電子機器に接続可能である一又は複数のバッテリのうち満充電の一又は複数のバッテリを特定する情報を表示する。
【０００９】
上記電子機器では、前記通信部は、前記複数のバッテリにバッテリ情報を取得するためのバッテリ情報取得指示を送信し、このバッテリ情報取得指示の応答として前記バッテリ情報を無線通信により取得する。
【００１０】
上記電子機器では、前記通信部は、前記複数のバッテリから定期的に送信される前記バッテリ情報を無線通信により取得する。
【００１１】
また、本発明は、電源回路部と、自身を他のバッテリから識別するための識別情報と、現在の充電量を直接的又は間接的に示す物理量を表す充電情報とを含むバッテリ情報を無線通信により電子機器へ送信する通信部と、現在バッテリ残量が最も大きいバッテリである場合に前記電子機器から発光指示を受けて発光する発光部と、を備えるバッテリを提供する。
【００１２】
上記バッテリでは、前記通信部は、前記電子機器からバッテリ情報を取得するためのバッテリ情報取得指示を受信し、このバッテリ情報取得指示の応答として前記バッテリ情報を無線通信により前記電子機器へ送信する。
【００１３】
上記バッテリでは、前記通信部は、前記バッテリ情報を無線通信により定期的に前記電子機器へ送信する。
【００１４】
また、本発明は、複数のバッテリを識別する識別情報と、現在のバッテリの充電量を直接的又は間接的に示す物理量を表す充電情報とを含むバッテリ情報を複数のバッテリから無線通信により取得する取得ステップと、電子機器に接続された機器バッテリの充電情報、及び前記複数のバッテリの充電情報を比較する比較ステップと、前記比較部の比較結果に基づき、前記機器バッテリ及び前記複数のバッテリのいずれかを特定する情報を表示部に表示する表示ステップと、を有する電子機器のバッテリ特定方法を提供する。
【００１５】
上記バッテリ特定方法では、前記取得ステップで取得される前記識別情報には、前記複数のバッテリが前記電子機器に接続可能であるか否かを示す情報が含まれ、前記比較ステップでは、前記機器バッテリ、及び前記複数のバッテリのうち前記電子機器に接続可能である一又は複数のバッテリの充電情報を比較し、前記表示ステップでは、前記比較部の比較結果に基づき、前記機器バッテリ、及び前記電子機器に接続可能である一又は複数のバッテリのうち最もバッテリ残量の大きいバッテリを特定する情報を表示する。
【発明の効果】
【００１６】
本発明に係る電子機器、バッテリおよびバッテリ特定方法によれば、複数のバッテリを電子機器に接続せずに、どのバッテリのバッテリ残量が最も大きいかを容易に特定できる。
【図面の簡単な説明】
【００１７】
【図１】本発明の実施の形態に係る電子機器１００の構成を示すブロック図
【図２】本発明の実施の形態に係るバッテリ２００の構成を示すブロック図
【図３】バッテリ情報の一例
【図４】電子機器１００と複数のバッテリ２００Ａ、Ｂ、Ｃ間で送受信される情報を説明するための図
【図５】（ａ）表示部１０７の表示例、（ｂ）発光部２１３を模式的に示す図
【図６】電子機器１００の動作フロー
【発明を実施するための形態】
【００１８】
以下、本発明の実施形態について、図面を参照して説明する。
【００１９】
本実施の形態では、電子機器１００に接続している機器バッテリ１２０を含む複数のバッテリ２００から、電子機器１００に接続可能な複数のバッテリ２００を識別し、この識別された複数のバッテリ２００からバッテリ残量の最も大きいバッテリを特定して、電子機器１００のユーザに通知することができる。
【００２０】
なお、本実施の形態では、説明のため、複数のバッテリ２００のそれぞれを互いに区別する場合には、バッテリ２００Ａ、２００Ｂ、２００Ｃと称する。
【００２１】
なお、本実施の形態では、バッテリ２００Ａ、２００Ｂ、２００Ｃと区別して説明するため、電子機器１００に接続しているバッテリを機器バッテリ１２０と称する。
【００２２】
なお、本実施の形態では、説明のため、機器バッテリ１２０、バッテリ２００Ａ、及びバッテリ２００Ｃが電子機器１００に接続可能なバッテリとし、バッテリ２００Ｂは電子機器１００に接続不可能なバッテリであるとする。
【００２３】
図１は、本発明の実施の形態に係る電子機器１００の構成を示すブロック図である。図１に示す電子機器１００は、制御部１０１と、バッテリ情報比較部１０３と、通信部１０５と、表示部１０７と、操作部１０９と、メモリ１１１と、発光部１１３と、機器バッテリ１２０と、を備える。
【００２４】
制御部１０１はＣＰＵ（Ｃｅｎｔｒａｌ  Ｐｒｏｃｅｓｓｉｎｇ  Ｕｎｉｔ）を具備する。制御部１０１は電子機器１００の総括的な制御を行うとともに、その他の様々な演算処理や制御処理などを行う。制御部１０１の機能は各種プロセッサ（ＣＰＵ、ＤＳＰ等）、ＡＳＩＣ（ゲートアレイ等）などのハードウェアや、プログラムにより実現できる。制御部１０１は内蔵する情報記録媒体に格納されるプログラム（データ）に基づいて本実施の形態の種々の処理を行う。
【００２５】
通信部１０５は制御部１０１の制御により、複数のバッテリ２００にバッテリ情報取得指示を送信し、複数のバッテリ２００からバッテリ情報を受信する。受信したバッテリ情報は、バッテリ情報比較部１０３へ出力される。また、通信部１０５は制御部１０１の制御により、発光指示をバッテリ残量の最も大きいバッテリ２００Ａに送信する。
【００２６】
なお、複数のバッテリ２００との通信には、近距離無線通信ＩＥＥＥ８０２．１１ａ／ｂ／ｇとして知られる無線ＬＡＮ、携帯情報機器向けの近距離無線通信規格であるＢｌｕｅｔｏｏｔｈ（登録商標）、赤外線の近距離データ通信規格であるＩｒＤＡ（登録商標）などが用いられる。
【００２７】
バッテリ情報比較部１０３は通信部１０５を介して取得した複数のバッテリ２００のバッテリ情報に基づき、各バッテリ２００Ａ、２００Ｂ、２００Ｃの識別情報から自身（電子機器１００）に接続可能なバッテリを識別する。
【００２８】
バッテリ情報比較部１０３は接続可能なバッテリ２００Ａ、２００Ｃの充電情報、及び機器バッテリ１２０の充電情報を比較し、バッテリ残量の最も大きいバッテリを特定する。
【００２９】
バッテリ残量の最も大きいバッテリがバッテリ２００Ａの場合には、バッテリ情報比較部１０３はその判定結果を制御部１０１に出力する。そして、この判定結果を受けて、制御部１０１は現在バッテリ残量の最も大きいバッテリを特定する情報を表示部１０７に表示させる。さらに制御部１０１は、該当するバッテリ２００Ａの発光部２１３を発光させるための発光指示を生成し、この生成した発光指示を通信部１０５に出力する。これにより、本実施の形態に係る電子機器１００は、複数のバッテリ２００のうち、バッテリ２００Ａのバッテリ残量が最も大きいことを電子機器１００のユーザに視覚的に知らせることができる。なお、この発光指示は、通信部１０５を介してバッテリ２００Ａに送信される。
【００３０】
バッテリ残量の最も大きいバッテリが機器バッテリ１２０である場合には、バッテリ情報比較部１０３はその判定結果を制御部１０１へ出力する。そして、この判定結果を受けて、制御部１０１は現在バッテリ残量の最も大きいバッテリを特定する情報を表示部１０７に表示させると共に、発光部１１３を発光させる。これにより、本実施の形態に係る電子機器１００は、複数のバッテリ２００のうち、機器バッテリ１２０のバッテリ残量が最も大きいことを電子機器１００のユーザに視覚的に知らせることができる。
【００３１】
表示部１０７は電子機器１００の出力インターフェースとして機能する。表示部１０７はバッテリ情報比較部１０３の判定結果に基づき、現在バッテリ残量の最も大きいバッテリを特定する情報を表示する。なお、表示部１０７は、タッチパネル等の入出力インターフェースとして操作部１０９と一体に設けられても良い。これにより、本実施の形態に係る電子機器１００は、複数のバッテリ２００のうちどのバッテリの残量が最も大きいかを電子機器１００のユーザに視覚的に知らせることができる。
【００３２】
操作部１０９は電子機器１００の入力インターフェースとして機能する。例えば入力キーで構成されユーザのキー操作に応じた電子機器１００の操作を制御部１０１に出力する。操作部１０９は、タッチパネル等の入出力インターフェースとして表示部１０７と一体に設けられても良い。
【００３３】
メモリ１１１は機器バッテリ１２０のバッテリ情報（識別情報と充電情報）を保持する。また、通信部１０５で取得したバッテリ２００Ａ、２００Ｂ、２００Ｃのバッテリ情報を保持する。バッテリ情報には識別情報及び現在のバッテリの残量を示す充電情報が含まれる。詳細は後述する。
【００３４】
発光部１１３は制御部１０１の制御により、バッテリ残量の最も大きいバッテリを電子機器１００のユーザに視覚的に知らせるために発光する。
【００３５】
機器バッテリ１２０は電子機器１００に接続されているバッテリである。電子機器１００は、制御部１０１の制御により、機器バッテリ１２０から電力を供給されて動作する。なお、機器バッテリ１２０の構成は後述するバッテリ２００のそれと同じである。
【００３６】
図２は、本発明の実施の形態に係るバッテリ２００の構成を示すブロック図である。図２に示すバッテリ２００は、制御部２０１と、バッテリ情報指示取得部２０３と、通信部２０５と、電源回路部２０７と、メモリ２１１と、発光部２１３と、を備える。つまり、このバッテリ２００は通信機能を内蔵するバッテリである。
【００３７】
制御部２０１はＣＰＵ（Ｃｅｎｔｒａｌ  Ｐｒｏｃｅｓｓｉｎｇ  Ｕｎｉｔ）を具備する。制御部２０１はバッテリ２００の総括的な制御を行うとともに、その他の様々な演算処理や制御処理などを行う。制御部２０１の機能は各種プロセッサ（ＣＰＵ、ＤＳＰ等）、ＡＳＩＣ（ゲートアレイ等）などのハードウェアや、プログラムにより実現できる。制御部２０１は内蔵する情報記録媒体に格納されるプログラム（データ）に基づいて本実施の形態の種々の処理を行う。
【００３８】
制御部２０１は通信部２０５を介して電子機器１００から受信した発光指示に基づき発光部２１３を発光させる。制御部２０１は、バッテリ情報指示取得部２０３がバッテリ２００のバッテリ情報を取得すると、このバッテリ情報を通信部２０５を介して電子機器１００に送信する。
【００３９】
バッテリ情報指示取得部２０３は通信部２０５を介して、電子機器１００から送信されたバッテリ情報取得指示を受けて、メモリ２１１に保持されているバッテリ２００のバッテリ情報を取得する。
【００４０】
バッテリ情報指示取得部２０３は、制御部２０１の制御により、バッテリ２００のバッテリ情報を通信部２０５を介して電子機器１００に送信する。
【００４１】
メモリ２１１はバッテリ２００のバッテリ情報を保持する。図３を参照して、このバッテリ情報について説明する。図３に示すように、バッテリ情報は複数のバッテリ２００を識別するための識別情報と、バッテリ残量を示す充電情報とを含む。また識別情報には電子機器１００に接続可能か否かを示す情報も含まれる。
【００４２】
機器バッテリ１２０は電子機器１００に接続可能であり、その充電情報は４０である。つまり、機器バッテリ１２０の現在のバッテリ残量は４０％（満充電を１００％とする）である。
【００４３】
バッテリ２００Ａは電子機器１００に接続可能であり、その充電情報は８０である。つまり、バッテリ２００Ａの現在のバッテリ残量は８０％（満充電を１００％とする）である。
【００４４】
バッテリ２００Ｂは電子機器１００に接続不可能であり、その充電情報は６０である。つまり、バッテリ２００Ｂの現在のバッテリ残量は６０％（満充電を１００％とする）である。
【００４５】
バッテリ２００Ｃは電子機器１００に接続可能であり、その充電情報は７０である。つまり、バッテリ２００Ｃの現在のバッテリ残量は７０％（満充電を１００％とする）である。
【００４６】
通信部２０５は電子機器１００からバッテリ情報取得指示を受信すると、このバッテリ情報取得指示をバッテリ情報指示取得部２０３に出力する。
【００４７】
通信部２０５はバッテリ情報指示取得部２０３からバッテリ２００のバッテリ情報が入力されると、このバッテリ２００のバッテリ情報を電子機器１００へ送信する。
【００４８】
通信部２０５は電子機器１００から発光指示を受信すると、この発光指示を制御部２０１へ出力する。
【００４９】
なお、電子機器１００との通信には、近距離無線通信ＩＥＥＥ８０２．１１ａ／ｂ／ｇとして知られる無線ＬＡＮ、携帯情報機器向けの近距離無線通信規格であるＢｌｕｅｔｏｏｔｈ（登録商標）、赤外線の近距離データ通信規格であるＩｒＤＡ（登録商標）などが用いられる。
【００５０】
電源回路部２０７は電子機器１００の電力を供給するための回路であり、バッテリ２００が電子機器１００に接続されると制御部２０１の制御により電子機器１００に電力を供給する。
【００５１】
発光部２１３は制御部２０１の制御により発光する。これにより、本実施の形態に係るバッテリ２００は、複数のバッテリ２００のうち、どのバッテリのバッテリ残量が最も大きいかを電子機器１００のユーザに視覚的に知らせることができる。
【００５２】
図４を参照して、電子機器１００と複数のバッテリ２００間で送受信される情報について説明する。
【００５３】
なお、図４では、説明のため、複数のバッテリ２００のそれぞれを互いに区別する場合には、バッテリ２００Ａ、２００Ｂ、２００Ｃと称する。
【００５４】
なお、図４では、説明のため、機器バッテリ１２０、バッテリ２００Ａ、及びバッテリ２００Ｃが電子機器１００に接続可能なバッテリとし、バッテリ２００Ｂは電子機器１００に接続不可能なバッテリであるとする。なお、電子機器１００に接続可能なバッテリは複数あっても一つであっても良い。
【００５５】
図４に示すように、電子機器１００が、複数のバッテリ２００Ａ、２００Ｂ、２００Ｃにバッテリ情報取得指示を送信すると、これらの指示の応答として、各バッテリ２００Ａ、２００Ｂ、２００Ｃからバッテリ情報が電子機器１００に送信される。そして、電子機器１００は、各バッテリ２００Ａ、２００Ｂ、２００Ｃの充電情報から特定したバッテリ残量の最も大きいバッテリ２００Ａに発光指示を送信する。このとき、電子機器１００は、表示部１０７に現在バッテリ残量の最も大きいバッテリを特定する情報を表示する。
【００５６】
図５（ａ）に表示部１０７の表示例を示す。図５（ａ）に示すように、電子機器１００は表示部１０７に現在バッテリ残量の最も大きいバッテリを特定する情報として、「バッテリ残量の最も大きいバッテリは、バッテリ２００Ａです。」と表示される。さらに、電子機器１００は発光部１１３を点灯させる。また、図５（ｂ）にバッテリ２００Ａの発光部２１３を模式的に示す。図５（ｂ）に示すように、バッテリ２００Ａは、電子機器１００から発光指示を受けて、発光部２１３を点灯させる。
【００５７】
なお、本実施の形態では、表示部１０７に現在バッテリ残量の最も大きいバッテリを特定する情報を表示すると共に、発光部１１３、または発光部２１３を点灯させて、電子機器１００のユーザに現在バッテリ残量の最も大きいバッテリを知らせるが、これに限らない。表示部１０７に現在バッテリ残量の最も大きいバッテリを特定する情報を表示するだけでも良い。また、スピーカなどの音を発生するデバイスを電子機器１００に設けて音により現在バッテリ残量の最も大きいバッテリを特定する情報を電子機器１００のユーザに知らせても良い。
【００５８】
図６に電子機器１００の動作フローを示す。なお、図６では、説明のため、複数のバッテリ２００のそれぞれを互いに区別する場合には、バッテリ２００Ａ、２００Ｂ、２００Ｃと称する。
【００５９】
なお、図６では、説明のため、機器バッテリ１２０、バッテリ２００Ａ、及びバッテリ２００Ｃが電子機器１００に接続可能なバッテリとし、バッテリ２００Ｂは電子機器１００に接続不可能なバッテリであるとする。
【００６０】
ＳＴ６０１では、通信部１０５はバッテリ２００Ａ、２００Ｂ、２００Ｃにバッテリ情報取得指示を送信する。そして、ＳＴ６０３へ遷移する。
【００６１】
ＳＴ６０３では、通信部１０５はバッテリ２００Ａ、２００Ｂ、２００Ｃからバッテリ情報を受信する。そして、ＳＴ６０５へ遷移する。
【００６２】
ＳＴ６０５では、バッテリ情報比較部１０３は各バッテリ２００Ａ、２００Ｂ、２００Ｃの識別情報から自身（電子機器１００）に接続可能なバッテリを識別する。そして、ＳＴ６０７へ遷移する。
【００６３】
ＳＴ６０７では、バッテリ情報比較部１０３は接続可能なバッテリ２００Ａ、２００Ｃの充電情報、及び機器バッテリ１２０の充電情報を比較し、充電量の最も大きいバッテリを特定する。そして、ＳＴ６０９へ遷移する。
【００６４】
ＳＴ６０９では、制御部１０１は充電情報の比較結果に基づき、特定したバッテリ２００Ａを表示部１０７に表示する。そして、ＳＴ６１１へ遷移する。
【００６５】
ＳＴ６１１では、制御部１０１は特定したバッテリ２００Ａの発光部を光らせる発光指示を生成する。そして、ＳＴ６１３へ遷移する。
【００６６】
ＳＴ６１３では、通信部１０５は特定したバッテリ２００Ａに発光指示を送信する。そして処理を終了する。
【００６７】
なお、本実施の形態では、充電情報として、満充電に対する現在の充電量（バッテリ残量）を割合［％］で示した数値を用いているが、これに限らない。現在の充電量を直接的又は間接的に示す物理量（例えばバッテリ端子（＋、−）間の電圧値など）であれば、充電情報として用いることができる。
【００６８】
なお、本実施の形態では、表示部１０７に現在バッテリ残量の最も大きいバッテリを特定する情報を表示するが、これに限らない。現在バッテリ残量の最も大きいバッテリを特定する情報に代えて、充電情報が１００（言い換えると、満充電）である一又は複数のバッテリを特定する情報を表示部１０７に表示しても良い。つまり、充電情報が１００（言い換えると、満充電）であるバッテリが複数ある場合には、これら複数のバッテリの発光部を発光させるようにしても良い。
【００６９】
なお、本実施の形態では、電子機器１００から複数のバッテリ２００に各バッテリのバッテリ情報を取得するためのバッテリ情報取得指示（図４参照）を送信して、その応答として電子機器１００は各バッテリからバッテリ情報を取得しているが、これに限らない。各バッテリ２００の制御部２０１が内蔵するタイマーにより定期的に電子機器１００に自身のバッテリ情報を送信するよう設定することも可能である。
【００７０】
なお、本実施の形態では、表示部１０７に現在バッテリ残量の最も大きいバッテリを特定する情報を表示すると共に、発光部１１３を点灯させて、電子機器１００のユーザに現在バッテリ残量の最も大きいバッテリを知らせるが、これに限らない。表示部１０７に現在バッテリ残量の最も大きいバッテリを特定する情報を表示するだけでも良い。また、スピーカなどの音を発生するデバイスを電子機器１００に設けて音により現在バッテリ残量の最も大きいバッテリを特定する情報を電子機器１００のユーザに知らせても良い。
【産業上の利用可能性】
【００７１】
本発明に係る電子機器、バッテリおよびバッテリ特定方法は、複数のバッテリを電子機器に接続せずに、どのバッテリのバッテリ残量が最も大きいかを容易に特定できるという効果を有し、携帯端末等として有用である。
【符号の説明】
【００７２】
１００    電子機器
１０１    制御部
１０３    バッテリ情報比較部
１０５    通信部
１０７    表示部
１０９    操作部
１１１    メモリ
１１３    発光部
１２０    機器バッテリ
２００、２００Ａ、２００Ｂ、２００Ｃ  バッテリ
２０１    制御部
２０３    バッテリ情報指示取得部２０３
２０５    通信部
２０７    電源回路部
２１１    メモリ
２１３    発光部
【図１】
2013038961.tif 000003
【図２】
2013038961.tif 000004
【図３】
2013038961.tif 000005
【図４】
2013038961.tif 000006
【図５】
2013038961.tif 000007
【図６】
2013038961.tif 000008